(57)【要約】【課題】磁気テープの各トラックに記録された測定信号の種類を自動識別し、その測定信号に必要な解析処理及び解析処理条件を自動設定して、効率の良い信号解析が実施できる信号記録／解析システムを提供する。【解決手段】信号記録装置１０により測定信号を磁気テープ３０に記録する際に、記録する測定信号の種類及びその測定条件から成る識別情報を識別情報生成部１２にて生成し、識別情報挿入部１３にて測定信号の先頭に付加した上で、信号記録部１５にて磁気テープ３０に記録する。そして信号解析装置２０により解析する際に、識別情報判定部２４にて記録されている識別情報から測定信号の種類を自動識別し、解析処理選択部２５にて必要な解析処理を自動選択する。更に、識別情報判定部２４にて識別情報中の測定条件に基づいて解析処理条件を編集し、信号解析処理実行部２６の該当する解析処理に対して設定する。【選択図】  図１
2004219073.tif 000002
【特許請求の範囲】
【請求項１】
測定系で収集された複数の信号を受け取り、これらの信号を磁気テープの任意のトラックに記録する信号記録装置と、前記磁気テープのトラックに記録された前記信号を再生し解析処理を行なう信号解析装置とを具備し、
前記信号記録装置は、前記磁気テープの各トラックに記録する前記信号を選択する信号選択手段と、
この信号選択手段により選択された信号の種類に対応付けた識別情報を生成する識別情報生成手段と、
この識別情報を前記選択された信号の先頭に付加して、前記磁気テープに記録する信号記録手段とを備え、
前記信号解析装置は、前記信号の解析に必要な解析処理を前記識別情報に対応付けて選択するためのテーブルを記憶するテーブル記憶手段と、
前記磁気テープの各トラックに記録された信号を再生する再生手段と、
この磁気テープの各トラックから再生された信号のうちの前記識別情報を抽出し、前記磁気テープの各トラックから再生された信号の種類を判定する信号種類判定手段と、
この判定手段の結果に基づいて、前記各トラックから再生された信号に対する解析処理を選択する解析処理選択手段と、
この解析処理選択手段の結果に基づいて、前記各トラックから再生された信号に対する解析処理を実行する解析処理手段とを備えたことを特徴とする信号記録／解析システム。
【請求項２】
測定系で収集された複数の信号を受け取り、これらの信号を信号記録装置における磁気テープの任意のトラックに記録し、前記磁気テープのトラックに記録された前記信号を信号解析装置で再生し解析処理を行なうようにした信号記録／解析システムに使用される信号記録装置において、
この信号解析装置は、前記磁気テープの各トラックに記録する前記信号を選択する信号選択手段と、
この信号選択手段により選択された信号の種類に対応付けた識別情報を生成する識別情報生成手段と、
この識別情報を前記選択された信号の先頭に付加して、前記磁気テープに記録する信号記録手段とを備えたことを特徴とする信号記録装置。
【請求項３】
測定系で収集された複数の信号を受け取り、これらの信号の先頭に識別情報を付加して信号記録装置における磁気テープの任意のトラックに記録し、前記磁気テープのトラックに記録された前記信号を再生し解析処理を行なうようにした信号記録／解析システムに使用される信号解析装置において、
この信号記録装置は、信号の解析に必要な解析処理を前記識別情報に対応付けて選択するためのテーブルを記憶するテーブル記憶手段と、
前記磁気テープの各トラックに記録された信号を再生する再生手段と、
この磁気テープの各トラックから再生された信号中の前記識別情報を抽出し、前記磁気テープの各トラックから再生された信号の種類を判定する信号種類判定手段と、
この判定手段の結果に基づいて、前記各トラックから再生された信号に対する解析処理を選択する解析処理選択手段と、
この解析処理選択手段の結果に基づいて、前記各トラックから再生された信号に対する解析処理を実行する解析処理手段とを備えたことを特徴とする信号解析装置。
【請求項４】
前記識別情報は、前記信号の種類に対応付けた内容及び、前記信号の収集時における測定系設定条件を有し、
前記信号種類判定手段は、前記信号の種類の判定及び、前記測定系設定条件に基づいた前記解析処理に対する解析処理条件の設定を行なわせるようにしたことを特徴とする請求項１に記載の信号記録／解析システム。
【請求項５】
前記識別情報は、前記信号の種類に対応付けた内容及び、前記信号の収集時における測定系設定条件を有することを特徴とする請求項２に記載の信号記録装置。
【請求項６】
前記信号種類判定手段は、前記信号の種類の判定及び、前記測定系設定条件に基づいた前記解析処理に対する解析処理条件の設定を行なわせるようにしたことを特徴とする請求項３に記載の信号解析装置。
【発明の詳細な説明】
【０００１】
【発明の属する技術分野】
本発明は、測定系からの信号を磁気テープに記録し、この記録を再生して解析する信号記録／解析システム、信号記録装置及び信号解析装置に関する。
【０００２】
【従来の技術】
従来より、計測分野等において、プラント内の各種現象や様々な実験中に発生する各種現象を記録媒体に記録し、この記録を再生しながら現象を詳細に解析するための信号記録／解析システムが活用されている。この種のシステムでは、信号記録装置にて多数のセンサにより検出された各種現象の測定信号を、複数のトラックを有する磁気テープの各トラックに、アナログ波形として同時に記録し、信号解析装置にて前記磁気テープに記録された測定信号を再生し、これら現象の解析を行なっている。
【０００３】
このような信号記録／解析システムにおいては、多数の測定信号を同時に記録し解析できることが求められるため、信号記録装置は磁気テープへの記録トラック数が例えば９トラックであるような信号記録部を有している。そして、操作員は解析の対象とする複数の測定信号を選択し、それらを手動で任意のトラックに接続し記録していた。更に操作員は、磁気テープの各トラックに記録した測定信号の種類及び測定条件や記録条件等を、例えばメモ等に記述して、磁気テープに添付していた。
【０００４】
一方、磁気テープに記録された測定信号を再生し解析するために、操作員は信号解析装置において、先ず磁気テープの各トラックに記録されている測定信号の種類を、この磁気テープに添付されたメモ等により特定する。次に、測定信号の種類に対応した解析処理を各トラック毎に手動で選択する。更に、選択した解析処理に対して、測定信号の測定条件や記録時における記録条件に基づいて解析処理条件を適切に設定した上で、解析処理を実行している。
【０００５】
ところで、上述の信号記録／解析システムを用いての信号記録及び信号解析にあたっては、例えば実験場にて大量の磁気テープ記録を作成後、専門機関にてそれらの記録を解析するなど、オフライン解析、即ち信号記録と信号解析とが物理的に離れた場所で、且つ十分な期間経過後に解析がなされることが多い。オフライン解析の際に、大量の磁気テープの各トラックに記録された測定信号の種類、及び測定条件や記録条件については、操作員によるメモ等の記述に頼らざるを得ない。
【０００６】
しかし、大量の磁気テープ記録を扱う場合等においては、操作員によるメモ等の記述中の誤りは否めない。特に、各トラックに記録されている測定信号の種類についての記述が正確でない場合には、信号解析時に測定信号の種類の特定が困難になる。このため、測定信号に対して誤った信号解析処理を実行したり、あるいは信号解析に先立って熟練した操作員による測定信号の種類の再判定を必要としていた。更に、測定信号の種類が特定できない場合には信号解析が実施できず、磁気テープ記録の放棄を余儀なくされることもあり得ることから、信号記録及び信号解析の効率の低下を招いていた。
【０００７】
一方、信号解析時においては、各トラックに記録された測定信号の種類に対応した信号処理を手動で選択した上で、測定条件や記録時における記録条件に基づいて解析処理条件を適切に設定する必要がある。この際にも、操作員によるメモ等の記述に頼らざるを得ず、その記述が正確な場合においても、信号解析を行なう操作員による解析処理条件の設定操作が必須であるため、信号解析作業の効率を向上させることが困難であった。
【０００８】
上述のような操作員によるメモ等の記述に頼らない事例として、磁気テープの記録内容に関する情報を含む定義ヘッダーを設け、これを磁気テープの複数トラック内の１トラックを利用して、他のトラックの測定信号と共に記録する方法が知られている（例えば、特許文献１参照。）。しかし、この特許文献１に開示された方法は、定義ヘッダーを記録するために常に磁気テープの１トラックを占有してしまうため、同時に記録できる測定信号の数が減ることになり、同時に多数の信号を記録する必要のある場合には、信号記録の効率を低下させることになる。また、信号解析時に必要とされる解析処理に対する解析処理条件の設定については開示されていない。
【０００９】
【特許文献１】
特開平６−２２１８７６号公報（第９頁、図９）
【００１０】
【発明が解決しようとする課題】
以上述べたように、従来の信号記録／解析システムにおいては、磁気テープの各トラックに記録された測定信号の種類を特定するのに困難を伴ったり、また、解析処理条件を手動にて設定する必要があるなど、操作員の介在が必須であることによる信号記録／信号解析の効率の低下が避けられなかった。このため、極力人手の介在を減らし、信号解析を円滑に実施できる信号記録／解析システムが望まれていた。
【００１１】
本発明は上述の事情を考慮してなされたものであり、磁気テープの各トラックに記録された測定信号の種類を自動識別し、その測定信号に必要な解析処理を自動選択すると共に、選択した解析処理に対して適切な解析処理条件を自動設定して、効率の良い信号解析が実施できる信号記録／解析システム、並びにこの信号記録／解析システムで使用される信号記録装置及び信号解析装置を提供することを目的とする。
【００１２】
【課題を解決するための手段】
上記目的を達成するために、本発明の信号記録／解析システムは、測定系で収集された複数の信号を受け取り、これらの信号を磁気テープの任意のトラックに記録する信号記録装置と、前記磁気テープのトラックに記録された前記信号を再生し解析処理を行なう信号解析装置とを具備し、前記信号記録装置は、前記磁気テープの各トラックに記録する前記信号を選択する信号選択手段と、この信号選択手段により選択された信号の種類に対応付けた識別情報を生成する識別情報生成手段と、この識別情報を前記選択された信号の先頭に付加して、前記磁気テープに記録する信号記録手段とを備え、前記信号解析装置は、前記信号の解析に必要な解析処理を前記識別情報に対応付けて選択するためのテーブルを記憶するテーブル記憶手段と、前記磁気テープの各トラックに記録された信号を再生する再生手段と、この磁気テープの各トラックから再生された信号のうちの前記識別情報を抽出し、前記磁気テープの各トラックから再生された信号の種類を判定する信号種類判定手段と、この判定手段の結果に基づいて、前記各トラックから再生された信号に対する解析処理を選択する解析処理選択手段と、この解析処理選択手段の結果に基づいて、前記各トラックから再生された信号に対する解析処理を実行する解析処理手段とを備えたことを特徴とする。
【００１３】
また、本発明の信号記録／解析システムの前記識別情報は、前記信号の種類に対応付けた内容及び、前記信号の収集時における測定系設定条件を有し、前記信号種類判定手段は、前記信号の種類の判定及び、前記測定系設定条件に基づいた前記解析処理に対する解析処理条件の設定を行なわせるようにしたことを特徴とする。
【００１４】
本発明の信号記録／解析システムによれば、信号記録時に測定信号に対応付けられた識別情報をその測定信号の先頭に付加して磁気テープに記録することにより、信号解析時に記録された識別情報から測定信号の種類を自動識別し、その測定信号に必要な解析処理を自動選択すると共に、選択した解析処理に対して適切な解析処理条件を自動設定でき、効率の良い信号解析を実施できる。
【００１５】
【発明の実施の形態】
以下に、本発明に係る信号記録／解析システム、信号記録装置、及び信号解析装置の実施の形態について図１乃至図２を参照して説明する。
【００１６】
図１は、本発明に係る信号記録／解析システムの一実施の形態を示すブロック図である。このシステムは、信号記録装置１０、及び信号解析装置２０を備えている。
【００１７】
ここで信号記録装置１０は、測定系で収集された複数の信号を受け取り、これらの信号に識別情報を付加して複数のトラックを有する磁気テープ３０の任意のトラックに記録する。磁気テープ３０のトラック数はｎトラックとしている。信号解析装置２０は、磁気テープ３０の各トラックに記録された信号を再生し解析処理を行なう。
【００１８】
前記信号処理装置１０は、信号選択部１１、識別情報生成部１２、識別情報挿入部１３、波形整形部１４、信号記録部１５、及び記録操作制御部１６を備え、その信号選択部１１は、複数の入力ポートと磁気テープ３０のトラック番号に対応した複数の出力ポートとを有している。そして、測定系からの複数の測定信号を受け取ると共に、記録操作制御部１６からの選択制御信号に基づき磁気テープ３０の各トラックに記録する信号を選択し、識別情報挿入部１３に送出する。識別情報生成部１２では、記録操作制御部１６からの生成制御信号により、磁気テープ３０の各トラックに記録する信号の種類及び測定条件等から成る識別情報を生成し、識別情報挿入部１３に送出する。
【００１９】
識別情報挿入部１３は、信号選択部１１から受け取った磁気テープ３０の各トラックに記録する信号に対して、記録操作制御部１６からのタイミング制御信号により指定された期間、識別情報を挿入し、波形整形部１４に送出する。波形整形部１４は、識別情報挿入部１３からの信号を適切に波形整形し、信号記録部１５に送出する。
【００２０】
信号記録部１５は、磁気テープ３０の各トラックに対応した入力ポートを有し、記録操作制御部１６からの記録制御信号とともに波形整形部１４からの信号を磁気テープ３０の各トラックに記録する。このように、記録操作制御部１６は、信号記録装置１０を制御する。
【００２１】
また、信号解析装置２０は、信号再生部２１、信号分配部２２、識別情報記憶テーブル２３、識別情報判定部２４、解析処理選択部２５、解析処理実行部２６、及び解析操作制御部２７を備えている。信号再生部２１は、磁気テープ３０の各トラックに対応した出力ポートを有し、解析操作制御部２７からの再生制御信号により磁気テープ３０を再生し、その各トラックから再生された信号を信号分配部２２に送出する。信号分配部２２は、信号再生部２１からの信号を受け取り、これらを２つに分配して識別情報判定部２４及び解析処理選択部２５に送出する。
【００２２】
一方、識別情報記憶テーブル２３は、信号記録装置１０の識別情報生成部１２で生成される識別情報が表わす信号の種類と、この信号に必要な解析処理とを対応させて記憶しているテーブルである。そして、識別情報判定部２４は、各トラックから再生された信号の識別情報を抽出し、その信号の種類を判定して判定結果を解析処理選択部２５に出力すると共に、解析処理条件の設定データを解析処理実行部２６に送出する。
【００２３】
解析処理選択部２５では、識別情報判定部２４からの判定結果に基づき、各トラックから再生された信号分配部２２からの信号のそれぞれに対応した解析処理を選択し、これらの信号を後続の解析処理実行部２６に引き渡す。解析処理実行部２６は、信号の種類に対応した複数の解析処理を行なうことが可能で、解析処理選択部２５からの信号に対して選択された解析処理を実行する。このように、解析操作制御部２７は、信号解析装置２０を制御する。
【００２４】
次に、上述した本発明の実施の形態による信号記録／解析システム、信号記録装置、及び信号解析装置の動作を、図１及び図２を参照して説明する。
【００２５】
まず、測定系から送られてくる複数の測定信号は、信号記録装置１０内の信号選択部１１に入力される。信号選択部１１は、所望する測定信号を磁気テープ３０の所望するトラック番号に記録できるように、複数の測定信号の入力ポート（１〜ｋ）と各トラック番号（１〜ｎ）に対応した出力ポートとがマトリクス状に交差した構造となっている。そして、記録操作制御部１６からの選択制御信号に従いその交点を接続することにより、磁気テープ３０の各トラックに記録する測定信号が選択され、各出力ポートから記録用の測定信号として識別情報挿入部１３に送出される。
【００２６】
一方、記録操作制御部１６からは、上記の選択制御信号と共に、識別情報生成部１２に対して生成制御信号が送られる。識別情報生成部１２では、この生成制御信号に従って、記録用の各測定信号毎にその信号の種類及び測定条件から成る識別情報を生成し、識別情報挿入部１３に送出する。
【００２７】
次に、信号記録開始の指示がなされると、磁気テープ３０が走行し始めて上述した記録用の測定信号及び識別情報の記録が開始されるが、この時の動作を図２を参照して説明する。図２は、信号記録開始時における信号記録装置１０の動作をモデル化した説明図である。図２において、横軸は経過時間を表わす。
【００２８】
まず、信号記録開始の指示がなされると、記録操作制御部１６から信号記録部１５に対して記録制御信号が送出され、磁気テープ３０が走行を開始する。磁気テープ３０の走行速度が安定すると、記録操作制御部１６から識別情報挿入部１３に対して記録用の測定信号の先頭に識別情報を挿入するためのタイミング制御信号が送出される。通常、識別情報挿入部１３からは記録用の測定信号が後段の波形整形部１４に出力されているが、記録操作制御部１６からのタイミング制御信号により指定された期間は、これらに換わって識別情報が出力される。
【００２９】
このようにして識別情報が挿入された記録用の測定信号が識別情報挿入部１３から出力され、更に波形整形部１４において適切に波形整形された後、磁気テープ３０への記録信号として信号記録部１５に入力される。そして、信号記録部１５において、磁気テープ３０の各トラックに信号が記録される。
【００３０】
一方、磁気テープ３０に記録された信号は、記録解析装置２０内の信号再生部２１において、解析操作制御部２７からの再生制御信号に基づき再生され、磁気テープ３０の各トラックから再生された信号は信号分配部２２に送出される。これらの再生された信号は、信号分配部２２で２つに分配され、一方は識別情報判定部２４に、他方は解析処理選択部２５にそれぞれ送出される。
【００３１】
次に、識別情報判定部２４では、信号分配部２２からの信号を受け取り、まず、その先頭にある識別情報を読みとる。そして、読みとった識別情報から信号の種類を判定し、判定結果を識別情報記憶テーブル２３の情報と照合する。識別情報記憶テーブル２３には、解析操作制御部２７からの設定データにより、信号の種類とその信号に必要な解析処理とがあらかじめ対応付けられて記憶されているので、この照合により、各トラックから再生された信号毎に必要な解析処理が判別され、識別情報判定部２４は、その結果を解析処理選択制御信号として解析処理選択部２５に送出する。
【００３２】
また、信号分配部２２から解析処理選択部２５に送出された磁気テープ３０の各トラックから再生された信号は、解析処理選択部２５の各トラック番号に対応した入力ポート（１〜ｎ）に入力される。解析処理選択部２５は、各トラックから再生された信号のそれぞれに対して必要な解析処理を選択できるように、各トラック番号に対応付けた入力ポート（１〜ｎ）と解析処理実行部２６が有する各解析処理に対応付けた出力ポート（１〜ｍ）とがマトリクス状に交差した構造となっている。そして、識別情報判定部２４からの解析処理選択制御信号に従いその交点を接続することにより、各トラックから再生された信号が、それぞれの信号に必要な解析処理に対応付けられた出力ポートに転送される。
【００３３】
解析処理選択部２５の各出力ポートは、それぞれ解析処理実行部２６の各解析処理に対応した入力ポートに接続されている。そして、各トラックから再生された信号は解析処理実行部２６に入力され、各信号毎に必要な解析処理が実行される。
【００３４】
更に、識別情報中に測定信号収集時の測定条件が含まれている場合には、識別情報判定部２４は識別情報を読みとる際に、信号の種類と共に測定信号収集時の測定条件も抽出する。この抽出された測定条件に基づき、識別情報判定部２４は対象の解析処理に対する適切な解析処理条件を編集し、設定データを作成する。そして、前述の解析処理選択部２５への解析処理選択制御信号出力に続けて、作成した設定データを解析処理実行部２６に対して出力する。
【００３５】
解析処理実行部２６はこの解析処理条件を受け取り、対象となる内部の各解析処理に引き渡す。そして、解析処理条件を反映して、各信号に対する必要な解析処理が実行される。
【００３６】
以上説明したように、本実施の形態による信号記録／解析システムによれば、信号記録装置１０により測定信号を磁気テープ３０に記録する際に、記録する測定信号の種類及びその測定条件から成る識別情報を識別情報生成部１２にて生成し、識別情報挿入部１３にて測定信号の先頭に付加した上で、信号記録部１５にて磁気テープ３０に記録している。これにより、信号解析装置２０により測定信号を解析する際に、識別情報に基づいた自動信号解析を可能にしている。
【００３７】
また、この磁気テープ３０に記録された信号を信号解析装置２０により解析する際に、識別情報判定部２４にて記録されている識別情報から測定信号の種類を自動識別し、解析処理選択部２５にて必要な解析処理を自動選択している。これにより、人手を介することなく磁気テープ３０に記録されている測定信号の種類を特定できると共に、解析処理実行部２６にて解析処理を自動で開始することができ、円滑な解析処理を実施できる。
【００３８】
更に、識別情報判定部２４にて上記の識別情報中にある信号の測定条件に基づいて解析処理条件を編集し、解析処理実行部２６で該当する解析処理を実行させるようにしている。これにより、解析処理の実施を自動化することができ、効率の良い信号解析を実施できる。
【００３９】
なお、上述した実施の形態においては、信号記録装置１０及び信号解析装置２０は別々に配置された装置として説明したが、一体の装置であっても良い。
【００４０】
【発明の効果】
本発明の信号記録／解析システムによれば、信号記録時に測定信号に対応付けられた識別情報をその測定信号の先頭に付加して磁気テープに記録することにより、信号解析時に記録された識別情報から測定信号の種類を自動識別し、その測定信号に必要な解析処理を自動選択すると共に、選択した解析処理に対して適切な解析処理条件を自動設定でき、効率の良い信号解析を実施できる。
【図面の簡単な説明】
【図１】本発明に係る信号記録／解析システムの一実施の形態を示すブロック図。
【図２】信号記録開始時における信号記録装置１０の動作をモデル化した説明図。
【符号の説明】
１０  信号記録装置
１１  信号選択部
１２  識別情報生成部
１３  識別情報挿入部
１４  波形生成部
１５  信号記録部
１６  記録操作制御部
２０  信号解析装置
２１  信号再生部
２２  信号分配部
２３  識別情報記憶テーブル
２４  識別情報判定部
２５  解析処理選択部
２６  解析処理実行部
２７  解析操作制御部
３０  磁気テープ
【図１】
2004219073.tif 000003
【図２】
2004219073.tif 000004